(57)【要約】【課題】施療者に対する空気袋の接触感を変化させて変化に富んだマッサージ感覚を与えることができるマッサージ機を提供する。【解決手段】座部２と、背もたれ部３と、施療者の身体の左右両側に位置する側壁部４と、を備え、前記側壁部４には第一の空気袋５と前記第一の空気袋５より施療者側に位置して前記第一の空気袋５と重なる第二の空気袋６とが設けられ、両空気袋５、６は制御手段７により空気の給気および排気がそれぞれ独立して制御され、前記制御手段７は第二の空気袋６へ上限まで空気を給気させずに一定量の空気を給気させた状態を保ったまま、第一の空気袋５への給気または排気を制御して施療者に施療を行うようにした。【選択図】図１
2011172823.tif 000002
【特許請求の範囲】
【請求項１】
座部と、背もたれ部と、施療者の身体の左右両側に位置する側壁部と、を備え、前記側壁部には第一の空気袋と前記第一の空気袋より施療者側に位置して前記第一の空気袋と重なる第二の空気袋とが設けられ、両空気袋は制御手段により空気の給気および排気がそれぞれ独立して制御され、
前記制御手段は第二の空気袋へ上限まで空気を給気させずに一定量の空気を給気させた状態を保ったまま、第一の空気袋への給気または排気を制御して施療者に施療を行うマッサージ機。
【請求項２】
前記座部には第三の空気袋が埋設され、前記制御手段は第三の空気袋への空気の給気および排気を制御するものであり、
前記制御手段は第二の空気袋へ上限まで空気を給気させずに一定量の空気を給気させた状態を保ったまま、第一および第三の空気袋への給気または排気を制御して施療者に施療を行うことを特徴とする請求項１に記載のマッサージ機。
【請求項３】
前記背もたれ部は傾動制御手段により自在に傾動されるものであり、前記制御手段は第二の空気袋へ上限まで空気を給気させずに一定量の空気を給気させた状態を保ったまま、第一の空気袋への給気または排気を制御して施療者に施療を行い、前記傾動制御手段は前記背もたれ部の傾動角度を変化させるものであることを特徴とする請求項１又は２記載のマッサージ機。
【請求項４】
前記第一の空気袋と第二の空気袋との間に施療者側に突出する突起部を有する支持材を介在させたことを特徴とする請求項１乃至３のいずれか一項に記載のマッサージ機。
【発明の詳細な説明】
【技術分野】
【０００１】
本願発明は、施療者を施療するマッサージ機に関するものである。
【背景技術】
【０００２】
従来から、特開２００７−２５２６７４号公報（特許文献１）に示されるように、施療者が座るための座部と、背もたれ部と、背もたれ部の左右両側から前方に向かって突出する側壁部と、を有し、側壁部の内面側に夫々左右方向に重合した空気袋を並列状態に埋設しているマッサージ機は知られている。
【０００３】
このマッサージ機によると夫々の空気袋は基端部の位置をそろえて基端部のみを側壁部に取り付けているため空気袋が扇状に広がって施療者の身体側部を挟圧して施療を行うことができるとされている。
【先行技術文献】
【特許文献】
【０００４】
【特許文献１】特開２００７−２５２６７４号公報
【発明の概要】
【発明が解決しようとする課題】
【０００５】
しかしながら、上記従来例であるマッサージ機にあっては、空気袋への空気の給気、排気時間を調整することによって圧迫時間を変えたり、挟圧の力を変えてマッサージすることは可能であるが、施療者に対する空気袋の接触感を変化させて異なるマッサージ感覚を与えることはできなかった。
【０００６】
本願発明は、上記従来例に鑑みて発明されたものであり、その課題は、施療者に対する空気袋の接触感を変化させて変化に富んだマッサージ感覚を与えることができるマッサージ機を提供することである。
【課題を解決するための手段】
【０００７】
上記課題を解決するために、本願請求項１記載の発明では、座部と、背もたれ部と、施療者の身体の左右両側に位置する側壁部と、を備え、前記側壁部には第一の空気袋と前記第一の空気袋より施療者側に位置して前記第一の空気袋と重なる第二の空気袋とが設けられ、両空気袋は制御手段により空気の給気および排気がそれぞれ独立して制御され、
前記制御手段は第二の空気袋へ上限まで空気を給気させずに一定量の空気を給気させた状態を保ったまま、第一の空気袋への給気または排気を制御して施療者に施療を行うことを特徴としている。
【０００８】
又、本願請求項２記載の発明では、上記請求項１記載のマッサージ機において、座部には第三の空気袋が埋設され、前記制御手段は第三の空気袋への空気の給気および排気を制御するものであり、前記制御手段は第二の空気袋へ上限まで空気を給気させずに一定量の空気を給気させた状態を保ったまま、第一および第三の空気袋への給気または排気を制御して施療者に施療を行うことを特徴としている。
【０００９】
又、本願請求項３記載の発明では、上記請求項１又は２に記載のマッサージ機において、背もたれ部は傾動制御手段により自在に傾動されるものであり、前記制御手段は第二の空気袋へ上限まで空気を給気させずに一定量の空気を給気させた状態を保ったまま、第一の空気袋への給気または排気を制御して施療者に施療を行い、前記傾動制御手段は前記背もたれ部の傾動角度を変化させるものであることを特徴としている。
【００１０】
又、本願請求項４記載の発明では、上記請求項１乃至３のいずれか一項に記載のマッサージ機において、第一の空気袋と第二の空気袋との間に施療者側に突出する突起部を有する支持材を介在させたことを特徴としている。
【発明の効果】
【００１１】
本願請求項１記載のマッサージ機においては、側壁部には第一の空気袋と前記第一の空気袋より施療者側に位置して前記第一の空気袋と重なる第二の空気袋とが設けられ、両空気袋は制御手段により空気の給気および排気がそれぞれ独立して制御され、制御手段は第二の空気袋へ上限まで空気を給気させずに一定量の空気を給気させた状態を保ったまま、第一の空気袋への給気または排気を制御して施療者に施療を行うので、第二の空気袋が施療者の身体にフィットした形状で保たれた状態で、第一の空気袋が膨張、収縮することにより施療者は包み込まれるようなマッサージ感覚を得ることができる。
【００１２】
又、本願請求項２記載の発明のマッサージ機においては、特に、座部には第三の空気袋が埋設され、制御手段は第三の空気袋への空気の給気および排気を制御するものであり、制御手段は第二の空気袋へ上限まで空気を給気させずに一定量の空気を給気させた状態を保ったまま、第一および第三の空気袋への給気または排気を制御して施療者に施療を行うので、第三の空気袋の膨張・収縮にあわせて、施療者はその身体は上下方向に移動されて、マッサージを受ける部位が変化するので、異なる身体の部位において包み込まれるようなマッサージ感覚を得ることができる。
【００１３】
又、本願請求項３記載の発明のマッサージ機においては、特に、背もたれ部は傾動制御手段により自在に傾動されるものであり、制御手段は第二の空気袋へ上限まで空気を給気させずに一定量の空気を給気させた状態を保ったまま、第一の空気袋への給気または排気を制御して施療者に施療を行い、前記傾動制御手段は前記背もたれ部の傾動角度を変化させるものであるので、背もたれ部の傾動角度が変化することで第二の空気袋と施療者の身体の接触位置が変わり、異なる身体の部位において包み込まれるようなマッサージ感覚を得ることができる。
【００１４】
又、本願請求項４記載の発明のマッサージ機においては、特に、第一の空気袋と第二の空気袋との間に施療者側に突出する突起部を有する支持材を介在させたので、支持材の突起部が第二の空気袋を介して施療者の身体に押圧されて局所指圧的なマッサージ感覚を得ることができる。
【図面の簡単な説明】
【００１５】
【図１】本願発明の第一の実施形態におけるマッサージ機の側面図である。
【図２】本願発明の第一の実施形態におけるマッサージ機の正面図である。
【図３】本願発明の第一の実施形態のマッサージ機における側壁部の拡大図である。
【図４】本願発明の第一の実施形態のマッサージ機における空気袋の膨張・収縮システムを示す説明図である。
【図５】本願発明の第一の実施形態のマッサージ機を示し、（ａ）は第一の空気袋が収縮した状態を示し、（ｂ）は第一の空気袋が膨張した状態を示している。
【図６】本願発明の第三の実施形態のマッサージ機を示し、（ａ）は第一の空気袋のみに空気を給気・排気させた状態を示し、（ｂ）は第二の空気袋に一定量の空気が給気された上で、第一の空気袋を膨張・収縮させた状態を示し、（ｃ）は（ｂ）の状態に加えて第三の空気袋を膨張・収縮させた状態を示している。
【発明を実施するための形態】
【００１６】
以下、本願発明の第一の実施形態を図面に基づいて説明する。図１〜５は本実施形態のマッサージ機１を示しており、このマッサージ機１は、座部２と、背もたれ部３と、施療者の身体の左右両側に位置する側壁部４と、を備え、側壁部４には第一の空気袋５と第一の空気袋５より施療者側に位置して第一の空気袋５と重なる第二の空気袋６とが設けられ、両空気袋５、６は制御手段７により空気の給気および排気がそれぞれ独立して制御されている。また、制御手段７は第二の空気袋６へ上限まで空気を給気させずに一定量の空気を給気させた状態を保ったまま、第一の空気袋５への給気または排気を制御して施療者に施療を行うものである。
【００１７】
また、座部２には第三の空気袋８が埋設され、制御手段７は第三の空気袋８への空気の給気および排気を制御するものであり、制御手段７は第二の空気袋６へ上限まで空気を給気させずに一定量の空気を給気させた状態を保ったまま、第一および第三の空気袋５、８への給気または排気を制御して施療者に施療を行うものである。
【００１８】
側壁部４は施療者の上腕部および肩部の両側に位置するように背もたれ部３から前方に向かって突設されており、施療者の身体（上腕部および肩部）の左右両側に、それぞれ側壁部４ａ、４ｂが存在している。側壁部４は硬質の骨格材からなり、左右それぞれの側壁部４の内側（施療者側）には第一の空気袋５ａ、５ｂが設けられ、さらに第一の空気袋５よりも内側（施療者側）に第二の空気袋６ａ、６ｂが、第一の空気袋５と重なって、それぞれ設けられている。これら、側壁部４、第一の空気袋５、第二の空気袋６は布地で覆われており、第一および第二の空気袋５、６の箇所を覆う布地は第一の空気袋５および第二の空気袋６の膨張・収縮にともなって伸縮自在なストレッチ生地からなっている。
【００１９】
第三の空気袋８は座部２に埋設されており、座部２の左側に埋設された第三の空気袋８ａと座部２の右側に埋設された第三の空気袋８ｂとからなり、第三の空気袋８を膨張させることにより施療者の身体を上方向に移動させることができ、反対に第三の空気袋８を収縮させることにより施療者の身体が下方向に移動させることができる。
【００２０】
第一、第二および第三の空気袋５、６、８は、それぞれ図４に示されるように、電磁弁９を介してポンプ１０に接続されており、制御手段７は各電磁弁９のＯＮ／ＯＦＦを制御することにより各空気袋５、６、８の膨張・収縮が自在に行えるようになっており、各空気袋５、６、８の膨張量も自在に制御可能な構成となっている。本実施形態では、左右両側の第一の空気袋５ａ、５ｂ、左右両側の第二の空気袋６ａ、６ｂ，左右両側の第三の空気袋８ａ、８ｂの計６つの空気袋それぞれに対応して６つの電磁弁９ａ〜９ｆを設けて、制御部７が各電磁弁９ａ〜９ｆを制御することにより６つの空気袋がそれぞれ個別に膨張・収縮可能になるように構成している。
【００２１】
次に本実施形態のマッサージ機１における制御手段７の動作について、図５に基づいて説明を行う。まず、制御手段７は電磁弁９ｃ、９ｄを制御して第二の空気袋６ａ、６ｂへ一定量の空気を給気させる。ここで一定量の空気とは第二の空気袋６ａ、６ｂへ給気可能な上限量でなく、上限量より少ない量であり、後述の効果の差があるため、使用者はそれぞれ好みに応じて、図示しないコントローラを介して制御手段７により空気量を調整可能な構成としている。
【００２２】
次に、制御手段７は、第二の空気袋６ａ、６ｂへの給気量を保ったまま、電磁弁９ａ、９ｂを制御して第一の空気袋５ａ、５ｂへの給気または排気を制御して、第一の空気袋５ａ、５ｂを膨張・収縮させることにより施療者への施療を行う（図５（ａ）は第一の空気袋５ａ、５ｂが収縮した状態を示し、図５（ｂ）は第一の空気袋５ａ、５ｂが膨張した状態を示している）。このとき、第二の空気袋６が施療者の身体にフィットした形状で保たれた状態で、第一の空気袋５が膨張、収縮することにより施療者は包み込まれるようなマッサージ感覚を得ることができる。ここで例えば第二の空気袋６ａ、６ｂに上限量の３分の１程度の空気を給気させて施療を行う場合（ケース１）と上限量の３分の２程度の空気を給気させて施療を行う場合（ケース２）とを比較する。ケース１の場合ケース２に比較して給気量が少ないので、第二の空気袋６はより施療者の身体に沿って変位し、体にフィットした形状と成りえるので、施療者はより包み込まれるようなマッサージ感覚を得ることができる。反対に、ケース２の場合はケース１と比較した場合、第二の空気袋は給気量が多いため施療者の体にフィットした形状に変位しにくいが、多くの給気量のためにケース１より強い反力を有し押圧力の強いマッサージ感覚を得ることができる。
【００２３】
さらに制御手段７は電磁弁９ｅ、９ｆを制御して第三の空気袋８ａ、８ｂへの給気または排気を制御して、第三の空気袋８ａ、８ｂを膨張・収縮させる。このとき、第三の空気袋８ａ、８ｂが膨張・収縮されることにより、施療者の身体は上下方向に移動されるので、マッサージを受ける部位（上腕部および肩部）が上下方向において変化し、異なる部位において包み込まれるようなマッサージ感覚を得ることができる。
【００２４】
なお、本実施形態において側壁部４は施療者の上腕部および肩部の両側に位置するように背もたれ部３から前方に向かって突設されており、施療者の上腕部および肩部を施療するように構成されているが、側壁部４の突設位置は上記形態に限られるものでなく、例えば施療者の腰部の両側に突設させて腰部を施療するようになしてもよいし、座部２の前方にオットマンを設けて、このオットマンに両足を収める凹部を２箇所設け、この凹部の外側側方を側壁部４として足部を施療するようになしてもよい。
【００２５】
次に、本願発明の第二の実施形態について説明する。なお、ここでは、上記第一の実施形態と相違する事項についてのみ説明し、その他の事項（構成、作用効果等）については、上記第一の実施形態と同様であるのでその説明を省略する。
【００２６】
本実施形態のマッサージ機１の背もたれ部３は傾動制御手段（図示せず）により自在に傾動されるものであり、制御手段７は第二の空気袋６へ上限まで空気を給気させずに一定量の空気を給気させた状態を保ったまま、第一の空気袋５への給気または排気を制御して施療者に施療を行い、傾動制御手段は背もたれ部３の傾動角度を変化させるものである。
【００２７】
したがって、本実施形態のマッサージ機１は背もたれ部３の傾動角度が変化することで第二の空気袋６と施療者の身体の接触位置が変わり、異なる身体の部位において包み込まれるようなマッサージ感覚を得ることができる。
【００２８】
次に、本願発明の第三の実施形態について説明する。なお、ここでは、上記第一および第二の実施形態と相違する事項についてのみ説明し、その他の事項（構成、作用効果等）については、上記第一および第二の実施形態と同様であるのでその説明を省略する。
【００２９】
本実施形態のマッサージ機１では第一の空気袋５と第二の空気袋６との間に施療者側に突出する突起部１１を有する支持材１２を介在させている。支持材１２は平板状の形状をしており、この支持材１２から突起部１１が上下方向に３つ並んで一列に突設されている。もちろん、突起部１１の配置はこれに限られるものでなく、例えば、突起部１１を上下方向に２つ配置したものを２列突設するなどしてもよい。図６は、本実施形態における制御手段７および第一、第二および第三の空気袋５、６、８の動作を示しており、本実施形態では、側壁部４が施療者の腰部の両側に突設させて腰部を施療するようになされている。
【００３０】
図６（ａ）は使用形態１を示しており、この使用形態においては第二および第三の空気袋６、８には空気が給気されずに、第一の空気袋５のみに空気を給気・排気させて、第一の空気袋５を膨張・収縮させている。この使用形態においては、第二の空気袋６に空気は給気されていないので突起部１１が施療者に当接押圧されて、施療者は指圧感覚の施療を受けることができる。
【００３１】
図６（ｂ）は、使用形態２を示しており、この使用形態においては、第二の空気袋６には一定量（例えば、第二の空気袋６に給気できる上限量の３分の１〜３分の２程度）の空気が給気されており、この第二の空気袋６の給気状態が保たれた上で、制御手段７は第一の空気袋５への給気・排気を制御して第一の空気袋５を膨張・収縮させて施療者に施療を行っている。したがって、この使用形態においては、支持材１２の突起部１１が、一定量給気された第二の空気袋６を介して施療者の身体に押圧されるので、施療者は局所的な指圧感覚のマッサージを受けることができる。
【００３２】
図６（ｃ）は、使用形態３を示しており、この使用形態においては、制御手段７は上記第二の使用形態において第一および第二の空気袋５、６になす制御に加えて、第三の空気袋８への給気・排気を制御して第三の空気袋８を膨張・収縮させて施療者に施療を行っている。図６（ｃ）は、第三の空気袋８が膨張した状態を示しているが、図６（ｂ）の第三の空気袋８が収縮した状態と比較して、施療者の身体において第二の空気袋６に当接する箇所が異なっている。これは施療者の身体が第三の空気袋８が膨張することにより上方に持ち上げられるためである。すなわち、この使用形態においては、施療者は異なる身体の部位において施療を受けることができ、異なる身体の部位において包み込まれるようなマッサージ感覚を味わうことができる。
【００３３】
なお、上述の使用形態１〜３を組み合わせて施療を行っても勿論よく、この場合、組み合わせ順序をランダムに構成することにより施療者にあきがこない施療を行うことができる。
【符号の説明】
【００３４】
１  マッサージ機
２  座部
３  背もたれ部
４  側壁部
５  第一の空気袋
６  第二の空気袋
７  制御手段
８  第三の空気袋
９  電磁弁
１０  ポンプ
１１  突起部
１２  支持材
【図１】
2011172823.tif 000003
【図２】
2011172823.tif 000004
【図３】
2011172823.tif 000005
【図４】
2011172823.tif 000006
【図５】
2011172823.tif 000007
【図６】
2011172823.tif 000008